(57)【要約】【課題】  ＣＣＤ−ＲＡＷデータにより表される画像から、より迅速にトリミングを行うことができるようにする。【解決手段】  撮影装置においてＣＣＤ−ＲＡＷデータを記録媒体記録する際に、ＣＣＤ−ＲＡＷデータに所定の信号処理を施した確認画像およびＣＣＤ−ＲＡＷデータ上の座標系と確認画像上の座標系との対応関係を表す対応情報を記録する。確認画像を表示してトリミングする領域の指定を受け付け、対応情報を参照して、ＣＣＤ−ＲＡＷデータにおける指定された領域に対応する対応領域を抽出し、対応領域のＣＣＤ−ＲＡＷデータに対して信号処理を施す。【選択図】          図１
2007036314.tif 000002
【特許請求の範囲】
【請求項１】
撮影により所定の信号処理が未処理の生画像データを取得する撮像手段と、前記生画像データに前記所定の信号処理を施して確認画像を生成する確認画像生成手段と、前記生画像データを記録媒体に記録する際に、前記確認画像を併せて記録する記録制御手段とを備えた撮影装置において、
前記生画像データにより表される画像上の座標系と前記確認画像上の座標系との対応関係を表す対応情報を生成し、該対応情報を前記生画像データおよび前記確認画像と併せて前記記録媒体に記録する対応情報記録手段をさらに備えたことを特徴とする撮影装置。
【請求項２】
請求項１記載の撮影装置により取得された前記確認画像を表示装置に表示する確認画像表示制御手段と、
前記表示された確認画像上における領域の指定を受け付ける領域指定手段と、
前記対応情報を参照して、前記生画像データにおける前記指定された領域に対応する対応領域を抽出し、該抽出した対応領域の前記生画像データに対して所定の信号処理を施す信号処理手段とを備えたことを特徴とする画像領域抽出装置。
【請求項３】
撮影により所定の信号処理が未処理の生画像データを取得する撮像手段と、前記生画像データに前記所定の信号処理を施して確認画像を生成する確認画像生成手段と、前記生画像データを記録媒体に記録する際に、前記確認画像を併せて記録する記録制御手段とを備えた撮影装置における撮影方法おいて、
前記生画像データにより表される画像上の座標系と前記確認画像上の座標系との対応関係を表す対応情報を生成し、
該対応情報を前記生画像データおよび前記確認画像と併せて前記記録媒体に記録することを特徴とする撮影方法。
【請求項４】
請求項１記載の撮影装置により取得された前記確認画像を表示装置に表示し、
前記表示された確認画像上における領域の指定を受け付け、
前記対応情報を参照して、前記生画像データにおける前記指定された領域に対応する対応領域を抽出し、該抽出した対応領域の前記生画像データに対して所定の信号処理を施すことを特徴とする画像領域抽出方法。
【請求項５】
撮影により所定の信号処理が未処理の生画像データを取得する撮像手段と、前記生画像データに前記所定の信号処理を施して確認画像を生成する確認画像生成手段と、前記生画像データを記録媒体に記録する際に、前記確認画像を併せて記録する記録制御手段とを備えた撮影装置における撮影方法をコンピュータに実行させるためのプログラムおいて、
前記生画像データにより表される画像上の座標系と前記確認画像上の座標系との対応関係を表す対応情報を生成する手順と、
該対応情報を前記生画像データおよび前記確認画像と併せて前記記録媒体に記録する手順とを有することを特徴とするプログラム。
【請求項６】
請求項１記載の撮影装置により取得された前記確認画像を表示装置に表示する手順と、
前記表示された確認画像上における領域の指定を受け付ける手順と、
前記対応情報を参照して、前記生画像データにおける前記指定された領域に対応する対応領域を抽出し、該抽出した対応領域の前記生画像データに対して所定の信号処理を施す手順とを有することを特徴とする画像領域抽出方法をコンピュータに実行させるためのプログラム。
【発明の詳細な説明】
【技術分野】
【０００１】
本発明は、画像データ、とくに信号処理が未処理の生画像データを記録媒体に記録することが可能なデジタルカメラ等の撮影装置および方法、画像からトリミング領域を抽出する画像領域抽出装置および方法、並びに撮影方法および画像領域抽出方法をコンピュータに実行させるためのプログラムに関するものである。
【背景技術】
【０００２】
一般的なデジタルカメラは、ＣＣＤ等の撮像素子から得られる画像信号を１０ビットまたは１２ビットのデジタルデータに変換し、同時化、ホワイトバランス調整処理、ガンマ調整、リサイズ処理等の様々な信号処理を施した後、ＪＰＥＧ符号化等の圧縮方式に従って圧縮して記録媒体に記録するようになっている。この種のデジタルカメラでは、画像記録時に非可逆圧縮を施すため、再生時やプリント時に必ずしも充分に良好な画質が得られない場合がある。また、記録された画像は、既に様々な信号処理が施されているため、ユーザ自身が再生画像に対してさらなる信号処理を施すと画質が劣化する場合がある。
【０００３】
これに対して、カメラ内で信号処理を実施せず、撮像素子から出力される画素毎のアナログ信号をＡ／Ｄ変換後、信号処理を加えないで状態で生画像データ（以下、ＣＣＤ−ＲＡＷデータとする）をそのまま記録する方式が提案されている。
【０００４】
ここで、ＣＣＤ−ＲＡＷデータは、ＪＰＥＧデータと異なり、デジタルカメラの液晶モニタに再生表示する上で必要な信号処理が施されていないため、ＣＣＤ−ＲＡＷデータの再生時には、必要な信号処理をすべて行わなければならず、時間を要する。このため、デジタルカメラ上の再生、コマ送りが快適に行われなくなり、ユーザに不快感を与えることになる。
【０００５】
このため、画像の撮影時にデジタルカメラにおいて直ちに再生可能なフォーマット（例えばＪＰＥＧフォーマット）の確認用の画像を生成し、これをＣＣＤ−ＲＡＷデータと併せて記録媒体に記録する手法が提案されている（特許文献１参照）。この手法によれば、確認用の画像を再生することにより、ＣＣＤ−ＲＡＷデータの内容を直ちに確認することができる。
【特許文献１】特開２００３−２４４５０７号公報
【発明の開示】
【発明が解決しようとする課題】
【０００６】
ところで、確認用の画像（以下、確認画像とする）を再生して画像の内容を確認した上で、画像上の所望とする領域のみをトリミングして再生したりプリント出力したい場合がある。しかしながら、確認画像は生画像データと比較して画素数が少なく、また画角も生画像データにより表される画像と比較して小さくなっている。このため、トリミングを行う場合には、生画像データに対して信号処理を施して確認画像に代えて生画像を再生し、再生された生画像上に領域を設定してトリミングを行う必要があり、処理に時間を要するものとなっている。
【０００７】
本発明は、上記事情に鑑みなされたものであり、より迅速にトリミングを行うことができるようにすることを目的とする。
【課題を解決するための手段】
【０００８】
本発明による撮影装置は、撮影により所定の信号処理が未処理の生画像データを取得する撮像手段と、前記生画像データに前記所定の信号処理を施して確認画像を生成する確認画像生成手段と、前記生画像データを記録媒体に記録する際に、前記確認画像を併せて記録する記録制御手段とを備えた撮影装置において、
前記生画像データにより表される画像上の座標系と前記確認画像上の座標系との対応関係を表す対応情報を生成し、該対応情報を前記生画像データおよび前記確認画像と併せて前記記録媒体に記録する対応情報記録手段をさらに備えたことを特徴とするものである。
【０００９】
本発明による画像領域抽出装置は、本発明の撮影装置により取得された前記確認画像を表示装置に表示する確認画像表示制御手段と、
前記表示された確認画像上における領域の指定を受け付ける領域指定手段と、
前記対応情報を参照して、前記生画像データにおける前記指定された領域に対応する対応領域を抽出し、該抽出した対応領域の前記生画像データに対して所定の信号処理を施す信号処理手段とを備えたことを特徴とするものである。
【００１０】
本発明による撮影方法は、撮影により所定の信号処理が未処理の生画像データを取得する撮像手段と、前記生画像データに前記所定の信号処理を施して確認画像を生成する確認画像生成手段と、前記生画像データを記録媒体に記録する際に、前記確認画像を併せて記録する記録制御手段とを備えた撮影装置における撮影方法おいて、
前記生画像データにより表される画像上の座標系と前記確認画像上の座標系との対応関係を表す対応情報を生成し、
該対応情報を前記生画像データおよび前記確認画像と併せて前記記録媒体に記録することを特徴とするものである。
【００１１】
本発明による画像領域抽出方法は、本発明の撮影装置により取得された前記確認画像を表示装置に表示し、
前記表示された確認画像上における領域の指定を受け付け、
前記対応情報を参照して、前記生画像データにおける前記指定された領域に対応する対応領域を抽出し、該抽出した対応領域の前記生画像データに対して所定の信号処理を施すことを特徴とするものである。
【００１２】
なお、本発明による撮影方法および画像領域抽出方法をコンピュータに実行させるためのプログラムとして提供してもよい。
【発明の効果】
【００１３】
本発明の撮影装置および方法によれば、生画像データと確認画像とを併せて記録する際に、生画像データにより表される画像上の座標系と確認画像上の座標系との対応関係を表す対応情報が生成され、これが生画像データおよび確認画像と併せて記録媒体に記録される。
【００１４】
また、本発明の画像領域抽出装置および方法によれば、確認画像が再生され、再生された確認画像上においてトリミングする領域の指定が受け付けられると、対応情報が参照されて生画像データにおける指定された領域に対応する対応領域が抽出され、抽出された対応領域に所定の信号処理が施されることとなる。
【００１５】
このように本発明においては、生画像データの全体に対して所定の信号処理を施すことなく、確認画像を用いて指定された領域に対応する対応領域にのみ所定の信号処理を施せばよいため、生画像データを用いてより高速にトリミングを行うことができる。
【発明を実施するための最良の形態】
【００１６】
以下、図面を参照して本発明の実施形態について説明する。図１は本実施形態による撮影装置を適用したデジタルカメラの制御系を示すブロック図である。図１に示すように本実施形態によるデジタルカメラ１０には、撮像部１８が配設されている。撮像部１８は、レンズ１８Ａ、メカニカル・シャッタおよび絞り（図示省略）が配設され、レンズ１８Ａから入射した光を、メカニカル・シャッタが開放しているときに、絞りを介して、ＣＣＤ１８Ｂに入射させる構成である。
【００１７】
また、デジタルカメラ１０にはストロボ１２が設けられ、必要に応じて、ストロボ制御部１４の制御により、手動または自動で発光するようになっている。
【００１８】
デジタルカメラ１０の撮像部１８、ストロボ制御部１４を含む各制御デバイスは、バス１６によって接続され、ＣＰＵ２０によってその動作が制御されるようになっている。各制御デバイスは、バッテリ２２からの電源が供給され、動作可能となっている。
【００１９】
バス１６には、制御デバイスとして、システムメモリ（ＲＡＭやＲＯＭ）２４、不揮発性メモリ２６、タイマ機能部２８、およびカレンダ／時計機能部３０がそれぞれ接続されている。
【００２０】
また、バス１６には、Ｉ／Ｏポート３２が接続され、このＩ／Ｏポート３２には、デジタルカメラ１０の筐体３４（後述する図２参照）に取り付けられる操作・表示系３６からの信号の入出力がなされる。
【００２１】
図２は本実施形態によるデジタルカメラ１０の背面側斜視図である。図２に示すように、デジタルカメラ１０の筐体３４の裏面側（撮像部１８が配設された側とは反対側）には、液晶モニタ（ＬＣＤ）３８が配設されている。このＬＣＤ３８の上部は、操作・表示系３６の一部である、コマ番号表示部４０が設けられ、例えば、７セグメント液晶表示によって、撮影コマ番号が表示されるようになっている。
【００２２】
また、操作・表示系３６として、筐体３４の裏面側におけるＬＣＤ３８の右側には、ＬＣＤ３８上に表示される画像のコマ切り替え、項目選択等に適用される円形の上下左右キー４２が配設されている。この円形の上下左右キー４２の軸線を上下左右に傾斜することにより、それぞれに傾斜させたときに異なるスイッチの接点が切り替わり、当該切り替え信号がＩ／Ｏポート３２に入力されるようになっている。
【００２３】
上下左右キー４２の下部には、縦方向に上からメニューボタン４４、実行ボタン４６および取消ボタン４８が配列されている。また、筐体３４の上面には、レリーズボタン５０およびモード設定ダイヤル５２が設けられている。
【００２４】
モード設定ダイヤル５２およびメニューボタン４４が操作されると、ＬＣＤ３８上には、例えば、図３に示すような、各種設定を行うためのセットアップ画面５４が表示されるようになっている。
【００２５】
実行ボタン４６は、上記セットアップ画面５４上で、上下左右キー４２による機能選択後の決定時に操作され、取消ボタン４８は、決定した機能のキャンセルの際に操作される。
【００２６】
図１に戻り、バス１６には、カードＩ／Ｆ５６を介して、記録媒体としてのメモリカード５８が着脱可能なメモリカードスロット６０が接続されている。撮像部１８で撮影された画像データは、このメモリカードスロット６０に装填されたメモリカード５８に記録されることになる。
【００２７】
ここで、本実施形態では、メモリカード５８への画像データの記録モードとして、信号処理が施されるとともにＪＰＥＧ形式で圧縮されたＪＰＥＧデータを記録するＪＰＥＧ記録制御機能と、圧縮を施さない生画像データ（ＣＣＤ−ＲＡＷデータ）を記録するＣＣＤ−ＲＡＷ記録制御機能とが設定されている。
【００２８】
図４はＪＰＥＧ記録制御機能によってメモリカード５８に記録されるファイル構造を示す図である。図４に示すように、ＪＰＥＧ記録制御機能によってメモリカード５８に記録されるファイル構造は、タグ情報領域６２、サムネイル領域６４、および主画像領域６６に分類されている。なお、上記各領域は、一般的なＪＰＥＧファイル構造と同様であるので詳細な説明は省略する。
【００２９】
図５はＣＣＤ−ＲＡＷ記録制御機能によってメモリカード５８に記録されるファイル構造を示す図である。図５に示すように、ＣＣＤ−ＲＡＷ記録制御機能によってメモリカード５８に記録されるファイル構造は、ヘッダブロック領域６８、表示用画像ブロック領域７０、およびＣＣＤ−ＲＡＷ画像ブロック領域７４に分類されている。
【００３０】
ヘッダブロック領域６８は、メーカー識別子格納部、フォーマット識別子格納部の他、ＣＣＤ−ＲＡＷデータの画素数（ＲＷ×ＲＨ）を格納するＣＣＤ−ＲＡＷ画素数格納部、ＣＣＤ−ＲＡＷデータにおけるＪＰＥＧデータに相当する領域の左上点の座標（ＲＷ０，ＲＨ０）を格納するＪＰＥＧ相当領域左上点座標格納部、ＣＣＤ−ＲＡＷデータにおけるＪＰＥＧデータの画角に相当する幅ＲＷ１を格納するＪＰＥＧ画角相当幅格納部、ＣＣＤ−ＲＡＷデータにおけるＪＰＥＧデータの画角に相当する高さＲＨ１を格納するＪＰＥＧ画角相当高さ格納部、ＪＰＥＧデータの画素数（ＪＷ×ＪＨ）を格納するＪＰＥＧ画素数格納部に分類されている。
【００３１】
なお、ＣＣＤ−ＲＡＷデータの画素数（ＲＷ×ＲＨ）、ＣＣＤ−ＲＡＷデータにおけるＪＰＥＧデータに相当する領域の左上点の座標（ＲＷ０，ＲＨ０）、ＣＣＤ−ＲＡＷデータにおけるＪＰＥＧデータの画角に相当する幅ＲＷ１、ＣＣＤ−ＲＡＷデータにおけるＪＰＥＧデータの画角に相当する高さＲＨ１、およびＪＰＥＧデータの画素数（ＪＷ×ＪＨ）が、ＣＣＤ−ＲＡＷデータにより表される画像上の座標系と、確認画像を表すＪＰＥＧデータ上の座標系との対応関係を表す対応情報となる。図６はＣＣＤ−ＲＡＷデータ上における対応情報の座標系を示す図である。
【００３２】
表示用画像ブロック領域７０には、ＪＰＥＧファイル構造がそのまま格納されており、その詳細は、タグ情報領域６２、サムネイル領域６４、および表示画像領域６６に分類されている。
【００３３】
すなわち、デジタルカメラ１０のＬＣＤ３８や、パソコン等において画像確認のために画像を再生する場合には、この表示用画像ブロック領域７０に格納された、ＪＰＥＧデータ（例えばＶＧＡ（６４０×４８０画素））またはサムネイル画像データが読み出されるようになっている。
【００３４】
ＣＣＤ−ＲＡＷ画像ブロック領域７４は、再生パラメータセット格納部１００と、ＣＣＤ−ＲＡＷデータ格納部１０２とに分類されている。このＣＣＤ−ＲＡＷデータ格納部１０２に格納された画像データが、撮影された生画像データの実体となる。なお、ＣＣＤ−ＲＡＷデータとＪＰＥＧデータによりそれぞれ表される画像のアスペクト比は同一であるものとする。
【００３５】
撮影時において、撮像部１８に入力された信号は、Ａ／Ｄ変換部１０４へ送出される。
【００３６】
Ａ／Ｄ変換部１０４においてＡ／Ｄ変換された画像データは、ＣＰＵ２０からの指示に応じて、信号処理部１０６へ送られて、同時化、ホワイトバランス調整処理、ガンマ調整、およびリサイズ処理等の信号処理が施され、さらに圧縮／伸長部１０８へ送られて圧縮処理（ＪＰＥＧ）がなされるか、あるいはそのままの状態でカードＩ／Ｆ５６を介してメモリカードスロット６０へ送られるようになっている。
【００３７】
メモリカード５８に記録された画像データは、ＣＰＵ２０からの再生表示指示に基づいて読み出され、フレームメモリ１１０に格納され、ＬＣＤ制御部１１２の制御により、ＬＣＤ１２に表示される。なお、このとき、ＬＣＤ１１２には、ＯＳＤ（オンスクリーンディスプレイ部）１１４によって制御される、当該画像データに基づく画像表示とともに文字やキャラクタデータ等が重ねて表示されるようになっている。
【００３８】
なお、バス１６には、外部Ｉ／Ｆ１１６が接続され、コネクタ１１８を介してパソコン等の外部制御装置（以下パソコン１２０という）と直接接続することが可能となっており、このパソコン１２０にメモリカード５８に記録した画像データを伝送することができるようになっている。
【００３９】
以下に本実施形態のデジタルカメラの動作について説明する。
【００４０】
デジタルカメラ１０で撮影を行う前に、モード設定ダイヤル５２を操作してセットアップ画面５４をＬＣＤ３８に表示する。
【００４１】
セットアップ画面５４により、撮影の条件を設定する。まず、上下左右キー４２によって記録モードを選択（反転表示）し、実行ボタンを操作すると、記録モードの選択が可能となる。記録モードの項目では、図３に示すように、ＪＰＥＧ／ＦＩＮＥ、ＪＰＥＧ／ＢＡＳＩＣおよびＣＣＤ−ＲＡＷというモードが設定されている。
【００４２】
図３ではＪＰＥＧ／ＦＩＮＥ、ＪＰＥＧ／ＢＡＳＩＣ、ＣＣＤ−ＲＡＷが表示され、上下左右キー４２によって選択するべき記録モードを選択（反転表示）し、実行ボタン４６を操作する。
【００４３】
同様に、ＪＰＥＧ画素数、シャープネス、ビープ音の項目を必要に応じて選択し、それぞれ設定する。
【００４４】
撮影モードでは、ＬＣＤ３８上に撮像部１８で撮影されているプレビューが表示され、所定の画角が決まるとレリーズボタン５０の操作により、撮影が実行される。
【００４５】
記録モードがＪＰＥＧ／ＦＩＮＥまたはＪＰＥＧ／ＢＡＳＩＣの場合、撮像部１８で撮像されたデータは、Ａ／Ｄ変換部１０４へ送出され、Ａ／Ｄ変換されて、デジタル画像データを生成する。
【００４６】
その後、信号処理部１０６においてデジタル画像データに信号処理を施し、さらに圧縮／伸長部１０８において、デジタル画像データを圧縮し、ＪＰＥＧデータとしてメモリカード５８に記録する。
【００４７】
図７は記録モードがＣＣＤ−ＲＡＷの場合に行われる処理を示すフローチャートである。撮影が行われることにより処理が開始され、撮像部１８で撮像されたデータは、Ａ／Ｄ変換部１０４でのＡ／Ｄ変換のみがなされた状態のＣＣＤ−ＲＡＷデータがメモリカード５８に記録される（ステップＳＴ１）。
【００４８】
また、これと併せて、このＣＣＤ−ＲＡＷの記録モードの場合には、記録モードがＪＰＥＧ／ＦＩＮＥまたはＪＰＥＧ／ＢＡＳＩＣと同様の処理が実行され、ＬＣＤ３８に再生して確認するための確認画像として圧縮されたＪＰＥＧデータ（ＶＧＡ）が生成され、ＣＣＤ−ＲＡＷデータの表示用画像ブロック領域７０に格納される（ステップＳＴ２）。
【００４９】
さらに、ＣＣＤ−ＲＡＷデータの画素数（ＲＷ×ＲＨ）、ＣＣＤ−ＲＡＷデータにおけるＪＰＥＧデータに相当する領域の左上点の座標（ＲＷ０，ＲＨ０）、ＣＣＤ−ＲＡＷデータにおけるＪＰＥＧデータの画角に相当する幅ＲＷ１、ＣＣＤ−ＲＡＷデータにおけるＪＰＥＧデータの画角に相当する高さＲＨ１、およびＪＰＥＧデータの画素数（ＪＷ×ＪＨ）が対応情報として生成され（ステップＳＴ３）、ＣＣＤ−ＲＡＷデータのヘッダブロック領域６８におけるそれぞれの格納部に格納され（ステップＳＴ４）、処理を終了する。
【００５０】
再生モードでは、インデックスモードが選択された場合は、記録モードがいずれの場合であっても、メモリカード５８に記録された各画像領域のサムネイル領域６４からからサムネイル画像データが読み出され、ＬＣＤ上にインデックス画像として、マトリクス状に撮影済の画像が表示される。
【００５１】
このとき、ＣＣＤ−ＲＡＷファイル形式においては、表示用画像ブロック領域７０の一部として設けたサムネイル領域６４からサムネイル画像データが読み出されることになる。
【００５２】
また、１画像再生モードが選択された場合においても、ＪＰＥＧファイル形式で記録されている場合には、主画像領域６６から圧縮されたＪＰＥＧデータが読み出され、圧縮／伸長部１０８において伸長され、フレームメモリ１１０に展開された後に、ＬＣＤ３８に表示される。一方、ＣＣＤ−ＲＡＷファイル形式で記録されている場合には、表示用画像ブロック領域７０の主画像領域６６から確認画像としてのＪＰＥＧデータが読み出され、圧縮／伸長部１０８において伸長され、フレームメモリ１１０に展開された後に、ＬＣＤ３８に表示される。
【００５３】
次いで、上述したようにＣＣＤ−ＲＡＷデータをパソコン等の外部装置に電送したり、メモリカード５８に記録されたＣＣＤ−ＲＡＷデータを外部装置において、ビューアソフトを用いて表示し、さらにトリミングを行う際の処理について説明する。なお、以降説明する処理はビューアソフトにより行われる処理である。
【００５４】
図８はトリミングを行う際の処理を示すフローチャートである。
【００５５】
ＣＣＤ−ＲＡＷデータの再生の指示が行われることにより処理を開始し、ＣＣＤ−ＲＡＷデータにおける表示用画像ブロック領域７０の主画像領域６６から確認画像としてのＪＰＥＧデータが読み出され（ステップＳＴ１１）、伸張された後外部装置のモニタに確認画像として表示される（ステップＳＴ１２）。
【００５６】
続いて、表示された確認画像上における領域の指定を受け付ける（ステップＳＴ１３）。図９は表示された確認画像上における領域の指定を説明するための図である。図９に示すように、ＪＰＥＧデータにより表される確認画像の画素数は（ＪＷ×ＪＨ）であり、確認画像上における始点（ＪＴＷ０，ＪＴＨ０）を基準として幅ＪＴＷ、高さＪＴＨの領域を指定したものとする。
【００５７】
次いで、ＣＣＤ−ＲＡＷデータのヘッダブロック６８に格納された対応情報が参照されて、ＣＣＤ−ＲＡＷデータ上における、上記指定された領域に対応する対応領域が抽出される（ステップＳＴ１４）。以下、対応領域の抽出について詳細に説明する。
【００５８】
図１０は対応領域の抽出を説明するための図である。図１０に示すように、ＪＥＰＧデータにより表される確認画像上における始点（ＪＴＷ０，ＪＴＨ０）、幅ＪＴＷおよび高さＪＴＨは、ＣＣＤ−ＲＡＷデータにおける始点（ＲＴＷ０，ＲＴＨ０）、幅ＲＴＷおよび高さＲＴＨにそれぞれ対応する。したがって、対応情報を参照して、ＣＣＤ−ＲＡＷデータにおける始点（ＲＴＷ０，ＲＴＨ０）、幅ＲＴＷおよび高さＲＴＨを求めることにより対応領域を抽出することができる。
【００５９】
まず、確認画像をＣＣＤ−ＲＡＷデータ座標系に変換するための倍率αは、ＣＣＤ−ＲＡＷデータとＪＰＥＧデータとでアスペクト比が固定されていることから、下記の式（１）により算出することができる。
【００６０】
α＝ＪＷ／ＲＷ１＝ＪＨ／ＲＨ１    （１）
したがって、下記の式（２）、（３）により、幅ＲＴＷおよび高さＲＴＨを算出することができる。
【００６１】
ＲＴＷ＝ＪＴＷ×α                （２）
ＲＴＨ＝ＪＴＨ×α                （３）
また始点（ＲＴＷ０，ＲＴＨ０）は下記の式（４）、（５）により算出することができる。
【００６２】
ＲＴＷ０＝ＲＷ０＋ＪＴＷ０×α    （４）
ＪＴＷ０＝ＲＨ０＋ＪＴＨ０×α    （５）
そして抽出した対応領域のＣＣＤ−ＲＡＷデータに対してのみ信号処理を施すことにより現像を行い（ステップＳＴ１５）、抽出した領域を表示し（ステップＳＴ１６）、処理を終了する。
【００６３】
このように本実施形態においては、ＣＣＤ−ＲＡＷデータの全体に対して信号処理を施すことなく、確認画像を用いて指定された領域に対応する対応領域にのみ信号処理を施せばよいため、より高速にトリミングを行うことができる。
【００６４】
なお、上記実施形態においては、パソコンにおいてトリミングを行っているが、デジタルカメラにおいてトリミングを行う場合にも、上記と同様に対応情報を用いてＣＣＤ−ＲＡＷデータから対応領域を抽出するようにしてもよい。
【００６５】
また、上記実施形態においては、ＣＣＤ−ＲＡＷデータの表示用画像ブロック領域７０にＪＰＥＧデータを格納しているが、例えば、ＣＣＤ−ＲＡＷデータとＪＰＥＧデータとを拡張子のみが異なる同一ファイル名とする等により、ＣＣＤ−ＲＡＷデータとＪＰＥＧデータとを関連づけてメモリカード５８に保存するようにしてもよい。
【図面の簡単な説明】
【００６６】
【図１】本実施形態による撮影装置を適用したデジタルカメラの制御系を示すブロック図
【図２】本実施形態によるデジタルカメラの背面側斜視図
【図３】セットアップ画面を示す図
【図４】ＪＰＥＧデータのファイル構造を示す模式図
【図５】ＣＣＤ−ＲＡＷデータのファイル構造を示す模式図
【図６】ＣＣＤ−ＲＡＷデータ上における対応情報の座標系を示す図
【図７】記録モードがＣＣＤ−ＲＡＷの場合に行われる処理を示すフローチャート
【図８】トリミングを行う際の処理を示すフローチャート
【図９】表示された確認画像上における領域の指定を説明するための図
【図１０】対応領域の抽出を説明するための図
【符号の説明】
【００６７】
１０    デジタルカメラ
１６    バス
１８    撮像部
１８Ｂ    ＣＣＤ
２０    ＣＰＵ
３８    ＬＣＤ
５４    セットアップ画面
５８    メモリカード（記録媒体）
６８    ヘッダブロック領域
７０    表示用画像ブロック領域
７４    ＣＣＤ−ＲＡＷ画像ブロック領域
１０２    ＣＣＤ−ＲＡＷデータ格納部
１０４    Ａ／Ｄ変換部
１０６    信号処理部
１０８    圧縮／伸長部
【図１】
2007036314.tif 000003
【図２】
2007036314.tif 000004
【図３】
2007036314.tif 000005
【図４】
2007036314.tif 000006
【図５】
2007036314.tif 000007
【図６】
2007036314.tif 000008
【図７】
2007036314.tif 000009
【図８】
2007036314.tif 000010
【図９】
2007036314.tif 000011
【図１０】
2007036314.tif 000012